(57)【要約】      （修正有）【課題】内外壁から成る外壁体における内外壁間ケーシング内の温度を制御することができるヒートパス機能を備える外気取り入れ方法と装置を提供する。【解決手段】建物Ａの内外３，４壁間の上下方向間に内外壁間用風路９を形成し、内壁側排出用開口部２４と外壁側排出用開口部２５間に外気排出ケーシング２６により外気排出用風路２３を形成することにより、前記建物Ａの内外壁３，４に外気取り入れ装置１７を構成し、外壁開口部１０を開放し、内壁側開口部を閉鎖するとともに外壁側排出用開口部２５を開放しつつ、当該外壁側排出用開口部２５に設けた外気の強制排出手段により、内外壁間の内外壁間ケーシング８の下部より取り入れた外気を、前記外気排出ケーシング２６の外壁側排出用開口部２５を介して排出することにより、前記建物Ａの内外壁間ケーシング８の温度を制御することを特徴とするヒートバス機能を備える外気取り入れ方法。【選択図】図２
2015158294.tif 000002
【特許請求の範囲】
【請求項１】
建物の内外壁間の上下方向間に、内外壁間ケーシングにより内外壁間用風路を形成し、当該内外壁間用風路の内外壁間ケーシングの下部に設けた外壁側開口部と内壁側開口部間に、外気取り入れケーシングにより外気取り入れ用風路を形成するとともに前記内外壁間ケーシングの上部に設けた内外壁側排出用開口部と外壁側排出用開口部間に、外気排出ケーシングにより外気排出用風路を形成することにより、前記建物の内外壁に、外気取り入れ装置を構成し、当該外気取り入れ装置において、
前記外気取り入れ用風路の外気取り入れケーシングの外壁開口部を開放し、内壁側開口部を閉鎖するとともに前記外気排出用風路の外気排出ケーシングの外壁側排出用開口部を開放しつつ、当該外壁側排出用開口部に設けた外気の強制排出手段により前記外気取り入れケーシングを介して、前記内外壁間用風路の内外壁間ケーシングの下部より取り入れた外気を、内外壁間ケーシングの上部より、前記外気排出用ケーシングの外壁側排出用開口部を介して排出することにより、前記建物の内外壁間ケーシングの温度を制御することを特徴とするヒートバス機能を備える外気取り入れ方法。
【請求項２】
前記建物の内外壁間ケーシングの温度の制御は、当該内外壁間ケーシング内に設けた温度検出手段にて、当該内外壁間ケーシング内の温度を検出しつつ前記外気取り入れ用風路と外気排出用風路に設けた外気取り入れ装置部と外気排出装置部のそれぞれの風路開閉手段を制御するとともに前記外壁側排出開口部に設けた外気の強制排出手段としての排気用ファンを制御しつつ制御することを特徴とする請求項１記載のヒートパス機能を備える外気取り入れの方法。
【請求項３】
前記外気取り入れ装置は、前記内外壁用風路の下部の外気取り入れ風路に設けた外気取り入れ装置部と、上部の外気排出用風路に設けた外気排出装置部により構成するとともに、前記外気取り入れ装置部は、前記外壁側開口部と内壁側下部開口部間に設けた外気取り入れ風路の開閉手段を設けるとともに当該風路に取り入れられる外気の風圧を検出する風圧検出手段を設け、
前記外気排出装置部は、前記内外壁側排出用開口部と外壁側排出用開口部間に設けた外気排出用風路の開閉手段を設けるとともに当該風路より排出する外気を強制的に排出する少なくとも一つの排気用ファンを外気排出用風路の外気排出ケーシングに設けることにより構成し、
前記外気排出装置部の開閉手段にて、前記外気排出用風路を閉鎖するとともに外気取り入れ装置部の開閉手段にて前記外気取り入れ用風路を開放し、外気取り入れケーシングの風圧検出手段にて、風圧を検出しつつ前記外壁側開口部より内壁側開口部を介して、建物の室内側に外気を取り入れ、他方当該外気取り入れ装置部の開閉手段にて、前記外気取り入れ用風路を閉鎖するとともに、前記外気排出装置部の開閉手段にて、外気排出用風路を開放し、
かつ、前記排気用ファンを作動しつつ前記内外壁間ケーシングの内外壁用風路を介して、前記外気取り入れ装置部の外壁側開口部より取り入れた外気を、外壁側排出開口部より排出することを特徴とする請求項１記載のヒートパス機能を備える外気取り入れ方法。
【請求項４】
建物の内外壁間の上下方向間に、内外壁間ケーシングにより内外壁間用風路を形成し、当該内外壁間用風路の内外壁間ケーシングの下部に設けた外壁側開口部と内壁側開口部間に、外気取り入れケーシングにより外気取り入れ用風路を形成するとともに前記内外壁間ケーシングの上部に設けた内外壁側排出用開口部と外壁側排出用開口部間に、外気排出ケーシングにより外気排出用風路を形成し、かつ前記内外壁用風路の下部の外気取り入れ風路に設けた外気取り入れ装置部と、上部の外気排出用風路に設けた外気排出装置部により構成した外気取り入れ装置において、
前記外気排出装置部は、前記内外壁側排出用開口部と外壁側排出用開口部間に設けた外気排出用風路の開閉手段を設けるとともに当該風路より排出する外気を強制的に排出する少なくとも一つの排気用ファンを外気排出用風路の外気排出ケーシングに設けることにより構成し、
前記外気排出装置部の開閉手段にて、前記外気排出用風路を閉鎖するとともに外気取り入れ装置部の開閉手段にて前記外気取り入れ用風路を開放し、外気取り入れケーシングの風圧検出手段にて、風圧を検出しつつ前記外壁側開口部より内壁側開口部を介して、建物の室内側に外気を取り入れ、他方当該外気取り入れ装置部の開閉手段にて、前記外気取り入れ用風路を閉鎖するとともに、前記外気排出装置部の開閉手段にて、外気排出用風路を開放し、
かつ、前記排気用ファンを作動しつつ前記内外壁間ケーシングの内外壁用風路を介して、前記外気取り入れ装置部の外壁側開口部より取り入れた外気を、外壁側排出開口部より排出することができるように構成したことを特徴とするヒートパス機能を備える外気取り入れ装置。
【請求項５】
前記外気取り入れ装置は、前記内外壁間ケーシングに、当該ケーシング内温度の検出手段を設けるとともに当該検出手段の検出温度に基づいて、前記外気取り入れ用風路と外気排出用風路に設けた、外気取り入れ装置部と外気排出装置部のそれぞれの風路開閉手段を制御するとともに前記外壁側排出開口部に設けた外気の強制排出手段としての排気用ファンを制御する制御装置部を設けることにより構成したことを特徴とする請求項４記載のヒートパス機能を備える外気取り入れ装置。
【発明の詳細な説明】
【技術分野】
【０００１】
本発明は、建物の外壁を介して対象空間に外気を取り入れる、外気取り入れ装置に関し、特に外壁自体のヒートアップを制御するヒートパス機能を備える外気取り入れ方法と装置に関するものである。
【背景技術】
【０００２】
従来、外気を室内に取り入れる装置としては、特許第５０６５１９３号公報（出願人所有）記載の特許文献１（特開２００２−８９９１４号公報）記載の定量風量換気装置が開示されている。
【０００３】
そして、当該特許文献１の定量風量換気装置における問題点としての、突風の吹き込みを阻止できない点と、その他の突風に対する対策の問題点を解消するために、通常の風が生じている際には、その風力に対応して一定の風量を室内に取り入れるように調整するとともに、突風等の強風が突然に生じた際には風路を閉鎖して突風が室内に吹き込むのを防ぐことができ、且つ、定量風量を確保できるとともに、風路の開放を所定時間経過後に自動的に行って外気の取り入れや室内からの排気を行うことができる外気取り入れ装置（前記出願人所有の外気取り入れ装置）（特許文献２）が実施されている。
【先行技術文献】
【特許文献】
【０００４】
【特許文献１】特開２００２−８９９１４号公報
【特許文献２】特開第５０６５１９３号公報
【発明の概要】
【発明が解決しようとする課題】
【０００５】
さて、突風等の強調の際の吹き込みを防止しつつ、定風量の外気取り入れと必要な室内からの排気を行うことができる外気取り入れ装置によって、室内換気を実施する対策上、例えば、ダブルスキンタイプの二重外壁構造の構築物においては、当該外壁の空間における温度上昇（ヒートアップ）によって、室内温度の正常な調整を阻害する問題が、特に夏場において、顕著化している。
【０００６】
因って、本発明は、前記外気取り入れに関連して、前記外壁のヒートアップ現象を積極的に阻止し、室内における室内温度の調整が適確正常に制御することができる、ヒートパス機能を備える外気取り入れ装置の提供を目的とする。
【課題を解決するための手段】
【０００７】
本発明は、前記問題点を解決するため、請求項１の発明は、建物の内外壁間の上下方向間に、内外壁間ケーシングにより内外壁間用風路を形成し、当該内外壁間用風路の内外壁間ケーシングの下部に設けた外壁側開口部と内壁側開口部間に、外気取り入れケーシングにより外気取り入れ用風路を形成するとともに前記内外壁間ケーシングの上部に設けた内外壁側排出用開口部と外壁側排出用開口部間に、外気排出ケーシングにより外気排出用風路を形成することにより、前記建物の内外壁に、外気取り入れ装置を構成し、当該外気取り入れ装置において、前記外気取り入れ用風路の外気取り入れケーシングの外壁側開口部を開放し、内壁側開口部を閉鎖するとともに前記外気排出用風路の外気排出ケーシングの外壁側排出用開口部を開放しつつ、当該外壁側排出用開口部に設けた外気の強制排出手段により前記外気取り入れケーシングを介して、前記外壁間用風路の内外壁間ケーシングの下部より取り入れた外気を、内外壁間ケーシングの上部より、前記外気排出用ケーシングの外壁側排出用開口部を介して排出することにより、前記建物の内外壁間ケーシングの温度を制御することを特徴とする。
【０００８】
又、請求項４の発明は、建物の内外壁間の上下方向間に、内外壁間ケーシングにより内外壁間用風路を形成し、当該内外壁間用風路の内外壁間ケーシングの下部に設けた外壁側開口部と内壁側開口部間に、外気取り入れケーシングにより外気取り入れ用風路を形成するとともに前記内外壁間ケーシングの上部に設けた内外壁排出用開口部と外壁側排出用開口部間に、外気排出ケーシングにより外気排出用風路を形成し、かつ、前記内外壁用風路の下部の外気取り入れ風路に設けた外気取り入れ装置部と、上部の外気排出用風路に設けた外気排出装置部により構成した外気取り入れ装置において、前記外気取り入れ装置部は、前記外壁側開口部と内壁側開口部間に設けた外気取り入れ風路の開閉手段を設けるとともに当該風路に取り入れられる外気の風圧を検出する風圧検出手段を設け、前記外気排出装置部は、前記内外壁側排出用開口部と外壁側排出用開口部間に設けた外気排出用風路の開閉手段を設けるとともに当該風路より排出する外気を強制的に排出する少なくとも一つの排気用ファンを外気排出用風路の外気排出ケーシングに設けることにより構成し、前記外気排出装置部の開閉手段にて、前記外気排出用風路を閉鎖するとともに外気取り入れ装置部の開閉手段にて前記外気取り入れ用風路を開放し、外気取り入れケーシングの風圧検出手段にて、風圧を検出しつつ前記外壁側開口部より内壁側開口部を介して、建物の室内側に外気を取り入れ、他方当該外気取り入れ装置部の開閉手段にて、前記外気取り入れ用風路を閉鎖するとともに、前記外気排出装置部の開閉手段にて、外気排出用風路を開放し、かつ、前記排気用ファンを作動しつつ前記内外壁間ケーシングの内外壁用風路を介して、前記外気取り入れ装置部の外壁側開口部より取り入れた外気を、外壁側排出開口部より排出することができるように構成したことを特徴とする。
【発明の効果】
【０００９】
本発明のヒートパス機能を備える外気取り入れ方法及び装置によれば、特にダブルスキン構造の壁内部における温度上昇を阻止することができるとともに建物の室内温度調整に関連して、外壁内部の温度を、室内に取り入れる外気取り入れ並びに排出により制御することができるので、室内温度の調整を外壁温度に左右されずに適確、正常に制御することが可能になるものである。
【００１０】
又、室内に対する外気の取り入れについても、外気の風力に対応して所定の風量の取り入れを可能とするとともに強風あるいは突風に対処しつつ外気の取り入れを制御することができるのである。
【００１１】
さらに、室内に取り入れた外気および室内気をも、積極的に排気する場合には、前記壁内部の温度調整、制御手段としての排気ファンを補助的に作動し排気により、補助的な排気作用を向上することも可能である。
【発明を実施するための最良の形態】
【００１２】
本発明のヒートパス機能を備える外気取り入れ方法及び装置は、建物の内外壁間の上下方向間に、内外壁間ケーシングにより内外壁間用風路を形成し、当該内外壁間用風路の内外壁間ケーシングの下部に設けた外壁側開口部と内壁側開口部間に、外気取り入れケーシングにより外気取り入れ用風路を形成するとともに前記内外壁間ケーシングの上部に設けた内外壁側排出用開口部と外壁側排出用開口部間に、外気排出ケーシングにより外気排出用風路を形成することにより、前記建物の内外壁に、外気取り入れ装置を構成し、当該外気取り入れ装置において、前記外気取り入れ用風路の外気取り入れケーシングの外壁開口部を開放し、内壁側開口部を閉鎖するとともに前記外気排出用風路の外気排出ケーシングの外壁側排出用開口部を開放しつつ、当該外壁側排出用開口部に設けた外気の強制排出手段により前記外気取り入れケーシングを介して、前記内外壁間用風路の内外壁間ケーシングの下部より取り入れた外気を、内外壁間ケーシングの上部より、前記外気排出用ケーシングの外壁側排出用開口部を介して排出することにより、前記建物の内外壁間ケーシングの温度を制御することにより実施するものである。
【００１３】
以下本発明の実施例を図面とともに説明する。
【実施例１】
【００１４】
図１〜２は、本発明の実施に当たって、適用する建物におけるダブルスキン構造の構成を示す実施例１の説明図で、図１は、建物の内外壁間に設けた内外壁間ケーシングの下部に装備される外気取り入れ装置部の縦断側面図、図２は、内外壁間ケーシングの上部に装備される外気排出装置部の縦断側面図である。
図１において、１は、建物Ａの外壁体で、この外壁体１は、所謂ダブルスキン構造の外壁体１であって、建物Ａの枠体２に対して、内壁３および外壁４を構成する単板フロートガラスの複合体をシール５を介装するとともに押縁押えがスケット６を介装しつつ押縁枠７にて装着することにより構成されている。
【００１５】
そして、この外壁体１の内外壁３，４間の上下方向には、内外壁間ケーシング８を形成することにより、内外壁間用風路９を構成してある。
【００１６】
又、前記内外壁間ケーシング８の下部には、外壁４に外気取り入れ用の開口部１０を開口するとともに内壁３の下部に外気取り入れ用の開口部１１を開口し、当該両開口部１０，１１間に、建物Ａの室内Ｂに対する外気取り入れ用噴出口１２を備える外気取り入れケ−シング１３を形成することにより外気取り入れ用風路１４を構成してある。
【００１７】
さらに、前記外気取り入れケーシング１３には、内壁３側開口部１１に位置せしめて、風圧検出手段としての風圧検出用センサ１５を配設するとともに外気取り入れ用噴出口１２に位置せしめて、外気取り入れ用風路１４における前記内壁側開口部１１を開閉する開閉手段としての開閉ダンパ１６を配設することにより、外気取り入れ装置１７の外気取り入れ装置部１８を構成してある。
【００１８】
そして、前記風圧検出用センサ１５は、前記特許文献２（特許第５０６５１９３号公報）記載の外気取り入れ装置における、風路を流れる空気圧により回動し風圧を検出する検出手段を適用することにより実施することができ、その具体的な構成については、同文献２公報４頁段落００２３のセンサー羽根３０により実施することができる。
【００１９】
又、前記開閉ダンパ１６の構成についても、同文献２公報４頁段落００２１〜００２２記載の外気取り入れ用風路１４を開閉する回動可能なモータ駆動式の開閉手段としてのモータダンパ２１により実施することができ、その具体的な構成については、同段落記載の構成を適用しつつ実施することができる。
【００２０】
従って、前記風圧検出用センサ１５および開閉ダンパ１６の構成については、前記特許文献２の特許公報第５０６５１９３号公報記載のセンサー羽根３０およびモータダンパ２１についての構成およびその作用に関する公報４頁段落００２１〜６頁段落００３４の記載並びに同記載の説明に使用される８頁〜１１頁図１〜１４記載を適用しつつ実施することができ、その詳細については、同記載を引用し、具体的な説明は省略する。
【００２１】
尚、図１において１９は、前記開閉ダンパ１６のモータ駆動軸に連結した回動軸で、この回動軸１９には、モータダンパ板２０を回動自在に装着するとともに外気取り入れケーシング１３の噴出口１２には、モータダンパ板２０との気密的な閉止板２１が取り付けられ、前記回動軸１９を制御用駆動モータ（図示しない）の駆動にて図１矢印方向に回動することによりモータダンパ板２０を閉止板２１に密接せしめつつ閉止することにより、外気取り入れ用風路１４を閉鎖しつつ外気取り入れケーシング１３の外気取り入れ用噴出口１２を気密的に閉鎖することができ、かつ図１矢印とは反対方向に回動することにより、モータダンパ板２０を図１実線状態にすることにより、外気取り入れ用風路１４を開放しつつ外気取り入れケーシング１３の外気取り入れ用噴出口１２により室内Ｂに外気を取り入れることができるように構成されている。
【００２２】
図２は、図１における建物Ａの外壁体１の内外壁３，４の上部に構成した外気取り入れ装置１７の外気排出装置部２２を示すものである。
【００２３】
そして、図中、２３は、図１の外壁体１の内外壁３，４上下方向に形成した内外壁間ケーシング８の上部に構成した外気排出用風路を示すもので、当該外気排出用風路２３は、内外壁間ケーシング８の上部に内外壁側排出用開口部２４を開口するとともに外壁４の上部に、外壁側排出用開口部２５を開口し、この両排出用開口部２４，２５間に外気排出ケーシング２６を形成することにより構成されている。
【００２４】
又、前記外気排出ケーシング２６の前記内外壁側排出用開口部２４には、外気排出用風路２３を開閉する開閉ダンパ２７を設けてある。
【００２５】
そして、当該開閉ダンパ２７は、前記外気取り入れ装置部１８の開閉ダンパ１６と同様の構成から成るもので、図２には図示しないモータ駆動軸に連結した回動軸２８にモータダンパ板２９を回動自在に装着するとともに前記開口部２４には、モータダンパ板２９との気密的な閉止板３０を取付、前記回動軸２８を制御用駆動モータ（図示しない）の駆動にて図２矢印方向に回動することによりモータダンパ板２９を閉止板３０に密接せしめ閉止することにより外気排出用風路２３を閉鎖しつつ、外気排出ケーシング２６の内外壁側開口部２４を気密的に閉鎖することができ、かつ図２矢印方向とは反対方向に回動することにより、外気排出用風路２３を開放しつつ外気排出ケーシング２６の外壁側排出用開口部２５より、前記図１の外気取り入れ装置部１８を介して、内外壁間ケーシング８内に取り入れた外気を排出することができるように構成されている。
尚、図において、図１と同一の構成から成る構成部分には同一番号を付し、その説明を省略する。
【００２６】
さて、図１，２の構成から成る建物Ａの外壁１に設けた外気取り入れ装置１７における外気取り入れ装置部１８と外気排出装置部２２の作用について以下に説明する。
【００２７】
まず、外気取り入れ装置１７の外壁体１の下部に設けた外気取り入れ装置部１８によって室内Ｂに外気を取り入れる場合には、内外壁間用風路９における上部の外気排出用風路２３を閉鎖する。
【００２８】
すなわち、外壁体１の上部にもうけた外気排出装置部２２の開閉ダンパ２７の回動軸２８を制御用駆動モータを駆動しつつ回動して、開閉ダンパ板２７を図２矢印方向に回動し、閉止板３０に密接することにより内外壁側排出用開口部２４を閉鎖する。
【００２９】
しかる後、外気取り入れ装置部１８の開閉ダンパ１６を制御用駆動モータを駆動しつつ回動軸１９を回動し、モータダンパ板２０を図１矢印とは反対方向に回動して、実線状態に開放することにより、外気取り入れ用風路１４を開放しつつ外気取り入れ用噴出口１２より噴出しつつ外壁側開口部１０を介して取り入れる外気を室内Ｂに取り入れることができる。
【００３０】
そして、室内Ｂに対する外気の取り入れは外気取り入れ装置部１８における風圧検出用センサ１５による風圧検出にて、外壁側開口部１０よりの外気の風圧を検出しつつ、開閉ダンパ１６の制御用駆動モータによる回動軸１９の回動制御によって、モータダンパ板２０の開度に応じた風量を取り入れることができる。
【００３１】
又、その他の外気の突風等に対する対策については、特許文献２の特許第５０８５１９３号公報記載の諸構成により同一作用効果を発揮しつつ実施することができる。
【００３２】
従って、具体的な諸構成の説明並びに作用説明については省略する。
又、前記外気取り入れ装置部１８における開閉ダンパ１６および風圧検出用センサ１５の制御方法及び作用説明についても、前記以外の具体的な構成作用については、前記特許文献２公報記載と同様の構成、作用により実施することができ、その説明については省略する。
【００３３】
次に、室内Ｂに対する外気の取り入れを停止する場合には、内外壁間用風路９における外気取り入れ用風路１４を閉鎖する。すなわち、外壁体１の下部に設けた外気取り入れ装置部１８の開閉ダンパ１６の回動軸１９を制御用駆動モータを駆動しつつ回動して、モータダンパ板２０を図１矢印方向に回動し、閉止板２１に密接することにより、内壁側開口部１１を閉鎖する。
【００３４】
しかる後、外気排出装置部２２の開閉ダンパ２７を制御用駆動モータを駆動しつつ回動軸２８を回動し、モータダンパ板２９を図２矢印方向に回動して、実線状態に開放することにより、外気排出用風路２３を開放しつつ、外壁側排出用開口部２５より排出しつつ下部の外気取り入れ装置部１８の外壁側開口部１０を介して内外壁間用風路９内に取り入れる外気を、内外壁間ケーシング８より排出することができる。
【００３５】
その結果、建物Ａの外壁体１の内外壁４、５間における内外壁間ケーシング８内の温度を制御することができる。すなわち、図１，２の実施例１の外気取り入れ装置１７における外気排出装置部２２による内外壁間用風路９の内外壁間ケーシング８内の温度制御については、開閉ダンパ２７の回動軸２８を回動する制御用駆動モータにより、モ−タダンパ板２９の開度を制御しつつ開口部２４の開閉操作によって外気の排出量を制御することにより実施することができる。
【００３６】
尚、かかる外気排出装置部２２による内外壁間用風路９の内外壁間ケーシング８内の温度制御については、下記実施例２の外気排出装置部２２の構成により作用効果上より積極的、強制的に制御することが可能である。
【実施例２】
【００３７】
図３は、本発明外気取り入れ装置における外気排出装置部を図１，２における実施例１の構成とは別の構成による実施例２を示す説明図であって、建物Ａの外壁体１の上部の外気排出装置部の縦断側面図である。
【００３８】
そして、実施例２の外気取り入れ装置１７の構成は、実施例１の図２の外気取り入れ装置部２２の構成において、外気排出ケーシング２６における開閉ダンパ２７と内外壁側排出用開口部２４の取付位置とその構成を図３図示の構成に変更したものである。
【００３９】
又、これに加えて、前記開口部２４には、外気を強制的に吸引しつつ排気する強制排出手段としての排気用ファン３１を装備することにより構成したことを特徴とするものである。
【００４０】
当該強制排出手段の構成としては、外気排出ケーシング２６に開口した内外壁側排出用開口部２４の横幅方向間に、少なくとも一つの排気用ファン３１を装備するが、前記開口部２４の横幅に対応せしめて、所要間隔置きに複数個の排気用ファン３１を配設することにより構成することが好適で、より適確な所期の作用効果を発揮することが可能である。
【００４１】
しかして、係る構成からなる外気排出装置部２２により、実施例１にて説明した内外壁間用風路９の内外壁間ケーシング８内における温度を制御する方法について説明すると、先ず、内外壁間ケーシング８内の温度を検出する温度検出センサ（図３においては図示しないが実施例４の図４，５にて示す温度検出センサ３４，３５による実施例を適用する）を、外壁体１の上下方向間の内外壁間ケーシング８の高さ方向間の所要箇所に配設する。尚、具体的な排出構成については、内外壁間ケーシング８内における温度制御状態を実験した後記実施例３により説明する。
【００４２】
因って、前記温度検出センサによる内外壁間ケーシング８内の温度によって、開閉ダンパ２７を開放する。この開閉ダンパ２７のモータダンパ板２９の開閉操作については前記実施例１の回動軸２８の回動制御により実施することができる。
【００４３】
この開閉ダンパ２７の開放操作により、図３図示のモータダンパ板２９をストッパー３２位置まで開放するとともに排気用ファン３１を始動することにより、下部の外気取り入れ装置部１８の外壁側開口部１０より内外壁間ケーシング８内に取り入れた外気を、当該排気用ファン３１により吸引しつつ外壁側排出用開口部２５より強制的に排出することができる。
【００４４】
又、かかる強制的な排出を経続することにより、内外壁間ケーシング８内の温度を制御することができるものであるが、その作用効果については、後記する実施例３により、具体的に説明するが、特に、夏場における外壁体１における内外壁間ケーシング８内の温度が上昇し、室内Ｂ内の温度調整の制御に悪影響を与えるもので、この内外壁間ケーシング８内の温度上昇を当該実施例２の外気排出装置部２２によって効果的に解消することができるものである。
【００４５】
又、かかる外気排出装置部２２の外気排出制御については、外気取り入れ装置部１８における外気取り入れ制御とともに図示しないコントロールボックス（制御装置）により必要に応じた制御方法によって実施することができる。
【００４６】
すなわち、外気取り入れ装置１７の外気取り入れ装置部１８による室内Ｂに対する所定量の外気取り入れに当たっては、外気取り入れ用風路１４の開放に伴う、外気排出装置部２２の外気排出用風路２３の閉鎖の各操作は、開閉ダンパ１６，２７の制御用駆動モータの制御により実施するとともに風圧検出用センサ１５による開閉ダンパ１６の制御が実施されることにより外気の風量及びその他突風等の強風に対する対策が実施される。
【００４７】
そして、外気排出装置部２２の外気排出及び内外壁間ケーシング８内の温度制御についても同様に開閉ダンパ１６，２７の必要な制御操作により実施することができるとともに特に、開閉ダンパ２７の制御と排気用ファン３１の始動、停止の制御に当たっては、内外壁間ケーシング８内に配設する温度検出センサの検出信号により制御することにより、所期作用効果を得ることができ、これらの操作は、前記したようにコントロールボックス（制御装置）を介して、実施することができる。
【実施例３】
【００４８】
図４，５は、実施例２における外気排出装置部２２における内外壁間ケーシング８内の温度制御状態を具体的に説明するための実験用外気取り入れ装置を示す正面図およびＡ−Ａ側断面図である。
【００４９】
以下には、図４，５とともに実施例３について説明する。
図４，５に於いて、前記下実施例１，２における対応構成については、同一番号を付し、その説明は省略する。
【００５０】
そして、図４，５において、実験用外壁体１は、１スパンを想定した大きさで、そのサイズは１２００Ｗ×４０００Ｈ×２５０Ｌで、その材質は鉄板により構成したものである。
【００５１】
又、外壁体１の下部の外壁４内側には、２個の電気ヒータ（ニクロム線）３３を配設するとともに実験用内外壁間ケーシング８の高さ方向間には、温度検出センサ３４，３５をそれぞれの温度測定点イ〜ニに位置せしめて配設することにより構成されている。
【００５２】
尚、排気用ファン３１については、ブラシレスＤＣファン（製品メーカー・コパル、製品名）（ＤＣ１２Ｖ）（製品形状：Ｆ４１２Ｒ−１２ＭＢ）サイズ（外形）４１×４１×１２．２Ｌである。
【００５３】
因って、前記実験用外壁体１における内外壁ケーシング８において、上部の外気排出装置部２２の排気用ファン３１を停止した状態で、電気ヒータ３３を作動して内外壁間ケーシング８内の温度検出センサ３５（温度側定点ハ、ニ）の温度が５０°Ｃに達するまで加温した後、電気ヒータ３３を停止する。
【００５４】
しかる後に、下部の外気取り入れ装置部１８の外壁側開口部より外気をとりいれつつ、外気排出装置部２２の開閉ダンパ２７のモータダンパ板２９を開放し、かつ排気用ファン３１を作動することによって、外気を外壁側排出用開口部２４より排出することにより、内外壁間ケーシング８内の各温度検出センサ３４、３５による各温度測定点イ〜ニの温度を時間経過毎に測定し、その温度制御状況を表１，２により確認することができた。
【００５５】
又、排気用ファン３１を配設しない実施例１の構成による外気排出装置部２２の場合を想定し、排気用ファン３１を停止した、外気排出による内外壁間ケーシング８内の温度制御状況を測定した場合を表３により確認した。
【表１】
2015158294.tif 000003
【表２】
2015158294.tif 000004
【表３】
2015158294.tif 000005
【００５６】
尚、表１は、外気排出装置部２２に配設した排気用ファン３１が３個の場合、表２は４個による実験結果をそれぞれ示したものである。
【実施例４】
【００５７】
図６〜９は、実施例１〜３における外気取り入れ装置１７における外気排出装置部２２を、単体にて構成した場合のヒートパス機能付き開閉ダンパ装置の実施例を示すものである。
【００５８】
そして、図中、実施例１〜３における構成と同一構成部分については、同一番号を付し、その説明を省略する。
【００５９】
３６は、開閉ダンパー装置３７の枠体を示すもので、この枠体３６の上側板３８には開閉ダンパー装置３７の吊り金具３９を取付けてある。
【００６０】
又、４０は、枠体３６に開口した、実施例１〜２における外気取り入れ装置１７における内外壁側排出用開口部２４に連結する開口部で、この開口部４０より、内外壁間ケ−シング８内に取り入れられた外気を取り入れることができるように構成されている。
【００６１】
４１は枠体３６の取付板、４２は排気用ファン３１の配設用開口部４３の外側に取り付けたガスケットである。
【００６２】
さらに、当該開閉ダンパー装置３７の開閉ダンパ２７の回動軸２８は、図９に示す如く枠体３６の側枠に対して、軸受（外輪４５、内輪４６）４４を介して回動自在に装着されるとともにネオプレンゴムによるガスケット４７、を介装し、かつ０リング台４８により０リング４９を介装することにより装着されている。
【００６３】
さらに前記回動軸２８は、制御用駆動モータ（図示しない）を備える操作部５０を設けてある。因って、前記構成から成る開閉ダンパー装置３７によれば、本発明の外気取り入れ装置１７の外気排出装置部２２を単体にて構成することができる。
【００６４】
従って、内外壁間ンケーシング８における温度制御に当たって、前記実施例１の排気用ファン３１を装備しない外気排出装置部２２に換えて、あるいは、外壁体１に於いて、外気取り入れ装置部１８のみの構成からなる外気取り入れ装置に対して、当該開閉ダンパー装置３７を取り付けることにより、実施例２と同様の外気取り入れ方法と装置を実施することができるものである。
【００６５】
尚、前記開口部４３は外壁側開口部１０に連結し、外気排出ケーシング２６を構成するもので、排出ファン３１の作動中の強制排気用開口部４３を構成する。
また、当該排出ファン３１を作動しない状態においては、自然排気用の開口部４３を構成し、かつ排気ファン３１は自然排気の補助作用をなし、外気排出ケーシング２６の流出路となり排気する。
【図面の簡単な説明】
【００６６】
【図１】外気取り入れ装置部の縦断側面図（実施例１）
【図２】外気排出装置部の縦断側面図（実施例１）
【図３】外気排出装置部の縦断側面図（実施例２）
【図４】実験用外気取り入れ装置の正面図（実施例３）
【図５】図４Ａ―Ａ側断面図（実施例３）
【図６】ヒートパス機能付き開閉ダンパー装置の平面図（実施例４）
【図７】ヒートパス機能付き開閉ダンパー装置の側面図（実施例４）
【図８】図７Ａ−Ａ断面図（実施例４）
【図９】回動軸の軸受部の部分説明図（実施例４）
【符号の説明】
【００６７】
Ａ    建物
Ｂ    室内
１    外壁体
２    枠体
３    内壁
４    外壁
５    シール
６    押縁押えガスケット
７    押縁枠
８    内外壁間ケーシング
９    内外壁間用風路
１０    外壁側開口部
１１    内壁側開口部
１２    外気取り入れ用噴出口
１３    外気取り入れケーシング
１４    外気取り入れ用風路
１５    風圧検出用センサ
１６    開閉ダンパ
１７    外気取り入れ装置
１８    外気取り入れ装置部
１９    回動軸
２０    モータダンパ板
２１    閉止板
２２    外気排出装置部
２３    外気排出用風路
２４    内外壁側排出用開口部
２５    外壁側排出用開口部
２６    外気排出ケーシング
２７    開閉ダンパ
２８    回動軸
２９    モータダンパ板
３０    閉止板
３１    排気用ファン
３２    ストッパー
３３    電気ヒーター
３４、３５  温度検出センサ
３６    枠体
３７    開閉ダンパー装置
３８    上側板
３９    吊り金具
４０    開口部
４１    取付板
４２    ガスケット
４３    排気用ファン３１の配設用開口部
４４    軸受
４５    外輪
４６    内輪
４７    ガスケット
４８    Ｏリング台
４９    Ｏリング
５０    操作部
【図１】
2015158294.tif 000006
【図２】
2015158294.tif 000007
【図３】
2015158294.tif 000008
【図４】
2015158294.tif 000009
【図５】
2015158294.tif 000010
【図６】
2015158294.tif 000011
【図７】
2015158294.tif 000012
【図８】
2015158294.tif 000013
【図９】
2015158294.tif 000014